(57)【要約】【課題】所望とする締め付け力を簡単に得ることができるようにする。【解決手段】可撓性を有し外面に複数の係止歯４が長手方向に沿って形成されたバンド部２と、このバンド部２の一端部に設けられバンド部２の自由端側が挿通される挿通口５を有し、この挿通口５の内部には係止歯４と選択的に係止してバンド部２を抜け止め状態に保持する係止爪６が形成されたロック部３とを備えて構成される結束バンド１であって、バンド部２には、自由端側が挿通口５へ所定長さ範囲、挿通されたときに、ロック部３に当接することで挿通口５に対するバンド部２の挿通長さを規制する規制突部７Ａ〜７Ｃが形成されている。【選択図】図６
2014172633.tif 000002
【特許請求の範囲】
【請求項１】
可撓性を有し外面に複数の係止歯が長手方向に沿って形成されたバンド部と、
このバンド部の一端部に設けられ前記バンド部の自由端側が挿通される挿通口を有し、この挿通口の内部には前記係止歯と選択的に係止して前記バンド部を抜け止め状態に保持する係止爪が形成されたロック部とを備えて構成される結束バンドであって、
前記バンド部には、前記自由端側が前記挿通口へ所定長さ範囲、挿通されたときに、前記ロック部に当接することで前記挿通口に対する前記バンド部の挿通長さを規制する規制突部が形成されていることを特徴とする結束バンド。
【請求項２】
前記規制突部は前記バンド部の長手方向に沿って複数個が配され、各規制突部は前記バンド部との接続部位に薄肉部が形成されていて、前記挿通口の出口側から引き出された前記バンド部の自由端が引っ張り操作されることに伴う前記ロック部との当接により脱落可能に形成されていることを特徴とする請求項１記載の結束バンド。
【請求項３】
前記各規制突部は前記バンド部の長手方向に沿った側縁部寄りに配されていることを特徴とする請求項２記載の結束バンド。
【請求項４】
前記規制突部あるいは前記ロック部の対向面のいずれか一方には、前記規制突部と前記ロック部とが当接したときに、当該規制突部に対する押圧力を前記バンド部の幅方向外方へ向かうように作用させる排出案内面が形成されていることを特徴とする請求項２又は３に記載の結束バンド。
【発明の詳細な説明】
【技術分野】
【０００１】
本発明は、結束バンドに関するものである。
【背景技術】
【０００２】
従来より、例えばワイヤハーネス自体を結束したり、あるいはワイヤハーネスをシール状態で挿通するゴムブーツとその接続相手となる電気機器との接続部位を締め付けるために樹脂製の結束バンドが使用されてきた。そのような一例として、下記特許文献１を挙げることができる。
【０００３】
ここに開示された結束バンドは、バンド部とその一端に形成された筒状のロック部とからなり、バンド部の自由端側をロック部内に通す。そして、自由端を引っ張り操作すると、バンド部に長手方向に沿って形成された鋸歯状凹凸部がロック部内において選択的に係止することで、所望とする締め付け径をもったループが構成されるようになっている。
【先行技術文献】
【特許文献】
【０００４】
【特許文献１】特開平８−１７５５６４号公報
【発明の概要】
【発明が解決しようとする課題】
【０００５】
上記した結束バンドは、任意の締め付け位置で鋸歯状凹凸部をロック部に係止させることができる。つまり、従来のものでは、作業者がバンド部に加える引っ張り力がばらつくと、被締め付け物に対する締め付け力が簡単にばらついてしまうものであった。このため、締め付け不足が生じていれば被締め付け物が比較的簡単に抜けてしまう事態が生じ、逆に、過剰に締め付けられていると、被締め付け物自体が変形したり、あるいは被締め付け箇所がゴムブーツのシールリップ対応箇所であるような場合には、シールリップが過剰に潰れ、熱等の影響を受けてゴムブーツの接続相手に焼きついてしまう、といった事態も想定された。
【０００６】
本発明は上記のような事情に基づいて完成されたものであって、所望とする締め付け力を簡単に得ることができる結束バンドを提供することを目的とする。
【課題を解決するための手段】
【０００７】
本発明の結束バンドは、可撓性を有し外面に複数の係止歯が長手方向に沿って形成されたバンド部と、このバンド部の一端部に設けられバンド部の自由端側が挿通される挿通口を有し、この挿通口の内部には係止歯と選択的に係止してバンド部を抜け止め状態に保持する係止爪が形成されたロック部とを備えて構成される結束バンドであって、
バンド部には、自由端側が挿通口へ所定長さ範囲、挿通されたときに、ロック部に当接することで挿通口に対するバンド部の挿通長さを規制する規制突部が形成されているところに特徴を有する。
【発明の効果】
【０００８】
結束バンドにて被締め付け物に対する締め付け作業を行う場合には、バンド部の自由端側をロック部の挿通口に通して出口側から引っ張り操作がなされる。本発明では、バンド部が挿通口に対して一定長さ挿通されると、規制突部がロック部に当接してこれ以上の挿通が規制される。したがって、この位置に対応する係止歯が係止爪と係止することで、バンド部によって形成されるループは予め設定された径が得られる。このことにより、バンド部の引っ張り作業をラフに行っても被締め付け物に対する過度な締め付けを回避しつつ簡単に所望とする締め付け力を得ることができる。
【図面の簡単な説明】
【０００９】
【図１】結束バンドの側面図
【図２】同じく平面図
【図３】同じく底面図
【図４】結束状態を示す断面図
【図５】結束バンドから規制突部が脱落する状況を示すロック部の底面側から見た図
【図６】同じく斜視図
【発明を実施するための形態】
【００１０】
本発明における好ましい実施の形態を説明する。
（１）本発明の結束バンドは、前記規制突部は前記バンド部の長手方向に沿って複数個が配され、各規制突部は前記バンド部との接続部位に薄肉部が形成されていて、前記挿通口の出口側から引き出された前記バンド部の自由端が引っ張り操作されることに伴う前記ロック部との当接により脱落可能に形成されている構成とすることが好ましい。
このような構成によれば、締め付け作業に先立ち、複数個設定された規制突部の中から被締め付け物の大きさに合致する適切な位置のものを予め選定しておく。そして、締め付け作業にあたり、バンド部の自由端側を挿通口に通して自由端の引っ張り操作を行うと、規制突部のうち選定された規制突部より挿通方向前方にあるものは、先頭から順にロック部と当接するが、これら規制突部は所定の引っ張り力の付加により薄肉部から破断して脱落させることができる。したがって、目指す規制突部がロック部に当接するまで、それより手前の順位にある規制突部を上記の要領で全て脱落させて当該位置で係止歯と係止爪とを係止させれば、結束バンドは所望のループ径となる。かくして、上記の構成によれば、所望とするループ径を複数種設定することができる。
【００１１】
（２）各規制突部は前記バンド部の長手方向に沿った側縁部寄りに配されている構成としてもよい。
このような構成によれば、脱落した規制突部が挿通口内に噛み込んでしまう事態を未然に回避することができる。
【００１２】
（３）前記規制突部あるいは前記ロック部の対向面のいずれか一方には、前記規制突部と前記ロック部とが当接したときに、当該規制突部に対する押圧力を前記バンド部の幅方向外方へ向かうように作用させる排出案内面が形成されている構成としてもよい。
【００１３】
このような構成によれば、規制突部の脱落方向をバンド部から外側に向かう方向に誘導することができるため、挿通口への噛み込みをより確実に回避することができる。
【００１４】
次に、本発明の結束バンドを具体化した実施例１について、図面を参照しつつ説明する。
【００１５】
＜実施例１＞
図１乃至図４は本発明の実施例１を示している。実施例１に係る結束バンド１は６-６ナイロン等の可撓性を有する合成樹脂材にて一体に形成されている。結束バンド１はバンド部２とバンド部２の一端に形成されたロック部３とを備えて構成されている。
【００１６】
バンド部２は、図１乃至図３に示すように、細長い帯状に形成されている。バンド部２の幅は自由端部のみ徐々に幅狭となっているが、それ以外の部分はロック部３に至るまでほぼ均一幅に形成されている。図３、４に示すように、バンド部２の一面側（ロック部３が突設されている側と反対側の面）には所定長さ範囲に亘って複数の係止歯４が形成されている。各係止歯４は図４に示すように、鋸歯状の凹凸によって形成されている。また、各係止歯４が形成されている長さ領域は、図３に示すように、バンド部２の均一幅領域内に設定されており、また各係止歯４はバンド部２の幅方向両側縁部を残した幅範囲に設けられている。
【００１７】
ロック部３は角筒状に形成され、その中央部にはロック部３の突出方向に沿って挿通口５が貫通形成されている。この挿通口５はバンド部２を自由端側から挿通させることができるように形成されている。図４に示すように、挿通口５内には係止爪６が撓み可能に設けられており、バンド部２における係止歯４が形成されている側の面と対向して配されている。挿通口５の入口側からバンド部２の自由端側を挿通させて出口側から引っ張り操作をすることで、係止爪６は係止歯４に対して選択的に係止する。また、係止爪６と係止歯４とが係止している状態では、バンド部２を引っ張り操作する方向への移動は許容するが、戻り方向への移動は防止されるようになっている。このことにより、バンド部２の引っ張り操作を停止した時点で、バンド部２は所望とする径のループを形成維持することができ、被締め付け物に所定の締め付け力を付与することができる。
【００１８】
バンド部２において、係止歯４が形成されている側と反対側の面には複数の規制突部７Ａ〜７Ｃが設けられている。各規制突部７Ａ〜７Ｃは係止歯４の形成領域内に配され、図１に示すように、本実施例では３カ所に等間隔で配されている。各規制突部７Ａ〜７Ｃは略角柱状に形成されるとともに、バンド部２との接続部位（付け根部分）は細くなって薄肉部９となっている。各規制突部７Ａ〜７Ｃは、後述するように、ロック部３における挿通口５の入口側に形成された排出案内面８に当接した状態で、バンド部２が一定以上の力で引っ張り操作されたときに、薄肉部９を介して全体が倒伏し、その後に破断して脱落することができるよう、薄肉部９の強度が設定されている。
【００１９】
バンド部２においてその自由端に最も近い先頭の規制突部７Ａがロック部３（詳細にはロック部３における排出案内面８）に当接した時点で第１段階目の引っ張り規制がなされ、この時点で形成されるループの内径はＲ１である。続いて、先頭の規制突部７Ａが脱落して二番目の規制突部７Ｂがロック部３に当接した時点で第２段階目の引っ張り規制がなされ、この時点で形成されるループの内径がＲ２である（Ｒ１＞Ｒ２）。さらに、二番目の規制突部７Ｂも脱落して最後尾の規制突部７Ｃがロック部３に当接した時に第３段階目の引っ張り規制がなされ、この時点で形成されるループの内径がＲ３である（Ｒ１＞Ｒ２＞Ｒ３）。
【００２０】
各規制突部７Ａ〜７Ｃは、図２に示すように、バンド部２における幅方向の一側縁部に寄せられ長手方向に沿った同一線上に並んで配列されている。
【００２１】
また、図６に示すように、ロック部３の外側面のうち挿通口５の入口側となる面であって、規制突部７Ａ〜７Ｃが形成されている側の片側略半分には排出案内面８が形成されている。排出案内面８はバンド部２の引っ張り方向に鋭角の角度で交差する傾斜面となっており、バンド部２の自由端側が挿通口５の入口側から挿通されて出口側から引っ張られたときに各規制突部７Ａ〜７Ｃと当接可能となっている。すなわち、挿通口５の出口側から突出したバンド部２の自由端部が引っ張り操作されたときには、排出案内面８は同面に当接する規制突部７Ａ〜７Ｃに対して斜め外方（図５においてＰで示す矢線方向）の押圧力を付与するように設定されている。つまり、この押圧力によって倒伏されて脱落した規制突部７Ａ〜７Ｃがバンド部２の幅方向外方へ排出されるようにし、誤って挿通口５内に進入してしまうことがないようにしている。
【００２２】
次に、上記のように構成された本実施例の作用効果を説明する。図４に示されるように、本実施例の結束バンド１による締め付け作業を行う前に、複数本の電線よりなるワイヤハーネスＷＨを収容したコルゲートチューブ１０の端部にゴムブーツの接続筒部１１を被せ付けるようにして嵌め込んでおく。その状態で、接続筒部１１の外周面を巻くようにして結束バンド１のバンド部２を沿わせ、バンド部２の自由端部をロック部３の挿通口５の入口側から差し込んで出口側へと通しておく。この後、バンド部２の自由端側を引っ張り操作することになるが、引っ張り操作にあたり、接続筒部１１に対する所定の締め付け力を作用させるのに必要な結束バンド１のループ径は予め決定されており、そのために選択されるべき規制突部７Ａ〜７Ｃの順位も決定されている。ここでは、例えば先頭から２番目の規制突部７Ｂが選択されるものとする。
【００２３】
さて、上記したように、バンド部２の自由端側をロック部３の挿通口５へ通した状態で、バンド部２の自由端部を強く引っ張る。すると、ロック部３内の係止爪６は撓み動作を繰り返しつつ係止歯４を順に乗り越えてゆく。そして、引っ張り操作の途中で先頭の規制突部７Ａがロック部３の排出案内面８に当接するため、作業者はこの時点で一旦、引っ張り規制を受けるが、先頭の規制突部７Ａは目標とするものではないため、作業者はさらに引っ張り操作を継続する。先頭の規制突部７Ａを脱落させるために、バンド部２の自由端部にはやや強めの引っ張り力が付与される。これにより、先頭の規制突部７Ａは排出案内面８に設定された勾配により、外向きの押圧力を受けるため、図５（Ｂ）に示すように、先頭の規制突部７Ａはバンド部２の外側に排出される。したがって、脱落した先頭の規制突部７Ａが誤って挿通口５内に噛み込んでしまうような事態は生じない。また、規制突部７Ａ〜７Ｃとバンド部２とは薄肉部９によって接続されるようにしているため、先頭の規制突部７Ａを脱落させるのにさほどの引っ張り力は求められない。
【００２４】
こうして先頭の規制突部７Ａを脱落させれば、作業者は引っ張り操作力を低下させつつ、目標とする二番目の規制突部７Ｂが排出案内面８に当接するまで一気に引っ張り操作を行う。この時点で、作業者は２度目の引っ張り規制を受け、その際の節度感によって引っ張り操作を停止させることができる。この時点で、係止歯４と係止爪６とが係止し、バンド部２は戻り止めされた状態で係止するとともに、バンド部２は所定のループ径（Ｒ２）となってゴムブーツの接続筒部１１に対し適切な締め付け力を付与する。
【００２５】
このように、本実施例の結束バンド１によれば、締め付け作業に先立って目標とする規制突部７Ａ〜７Ｃを選択しておき、この目標とする規制突部７Ａ〜７Ｃがロック部３（排出案内面８）に当接するまで引っ張り操作を行えば、自動的にバンド部２は所望とするループ径のリングを形成することができ、接続筒部１１に対して適切な締め付け力を付与することができる。換言すれば、作業者はバンド部２をラフに引っ張り操作しても、設定位置で引っ張り規制を受けるため、簡単にバンド部２を所望のループ径とすることができる。したがって、締めが甘くなって接続筒部１１とコルゲートチューブとの間がシール不足となってしまうこともなく、逆に、締め過ぎによって接続筒部１１が過度に変形してしまう虞もない。また、本例とは別に、金属製のパイプ部分にシールリップを有するゴム製ブーツが被せ付けられるような締め付け箇所で、過度の締め付けがあると、熱の影響でシールリップ部分がパイプ側に焼き付いてしまう虞があることは前述した通りであるが、本実施例の結束バンドを用いれば、このような事態も有効に解消することができる。
【００２６】
また、本例の結束バンド１は規制突部７Ａ〜７Ｃをバンド部２に対し複数個、配列して選択可能としているため、結束バンドに異なる締め付け径を設定することができる。さらに、各規制突部７Ａ〜７Ｃはバンド部２の中央部に配置するのではなく、幅方向へシフトさせ側縁部に寄った位置に設定し、しかもロック部３には排出案内面８を設けて規制突部７Ａ〜７Ｃをバンド部２の側方へ積極的に排除されるようにしている。これにより、脱落した規制突部７Ａ〜７Ｃが挿通口５に噛み込んでしまうような事態も有効に回避することができる効果も得られる。
【００２７】
＜他の実施例＞
本発明は上記記述及び図面によって説明した実施例に限定されるものではなく、例えば次のような実施例も本発明の技術的範囲に含まれる。
（１）上記実施例では規制突部７Ａ〜７Ｃをバンド部２において幅方向の一縁側に寄せて配置したが、中央に配置してもよい。その場合には、挿通口５とバンド部２とのクリアランスが殆どないような設定としておけばよい。また、規制突部７Ａ〜７Ｃをバンド部２の一縁側と他縁側とに交互に配置するようにしてもよい。
（２）上記実施例ではロック部３に排出案内面８を形成したが、省略することも可能である。また、規制突部７Ａ〜７Ｃをバンド部２の幅方向両側に配置するようにした場合には、排出案内面８は傾斜方向を反対にしつつ一対設けてもよい。
（３）上記実施例では規制突部７Ａ〜７Ｃをバンド部２に一体に突出形成するようにしたが、別体に形成してもよい。例えば、バンド部２側に長手方向に沿って複数の孔を貫通させておき、そのうちの一つを選択して規制突部７Ａ〜７Ｃとしてのストッパピンを差し込んでおけば、ストッパピンとロック部３とが当接するまでバンド部２を一気に引っ張り操作することができ、当接位置で結束バンド１を所望のループ径とすることができる。
【符号の説明】
【００２８】
１…結束バンド
２…バンド部
３…ロック部
４…係止歯
５…挿通口
６…係止爪
７Ａ〜７Ｃ…規制突部
８…排出案内面
【図１】
2014172633.tif 000003
【図２】
2014172633.tif 000004
【図３】
2014172633.tif 000005
【図４】
2014172633.tif 000006
【図５】
2014172633.tif 000007
【図６】
2014172633.tif 000008